(57)【要約】      （修正有）【課題】長時間使用しても、汗でべっとり感が少なく、野外での観戦時に、さわやかさ、涼しさを保持し、勉強時のお供に眠気覚まし効果が抜群で、頭が冷えてスッキリさせ、且つ不快感のない鉢巻を提供する。【解決手段】長尺織物の幅方向の中心で折りたたんで形成される折りたたみ線Ｅを有している鉢巻であり、該鉢巻は長手方向の中心から左右に向かってそれぞれ５〜1５ｃｍ離れた位置の幅方向縫合線Ａ、Ｂで縫合されており、それぞれの幅方向縫合線Ａ、Ｂ上端から鉢巻の長手方向の中心部に向かって、１〜５ｃｍの範囲が長手方向縫合線Ｃ、Ｄで縫合されており、幅方向縫合線Ａ、Ｂと長手方向縫合線Ｃ、Ｄと折りたたみ線Ｅで囲まれ且つ２つの長手方向縫合線Ｃ、Ｄの間に存在している開口部Ｆを有したポケットを形成している。【選択図】図１
0003223005.tif 000002
【実用新案登録請求の範囲】
【請求項１】
長尺織物の幅方向の中心で折りたたんだ鉢巻であり、該鉢巻は長手方向の中心から左右に向かってそれぞれ約５〜1５ｃｍ離れた位置に幅方向にA,Bで示す縫合線で縫合されており、前記A,Bの縫合線上端から鉢巻の長手方向の中心部に向かって、約１〜５ｃｍの範囲にC,Dで示す縫合線を縫合し、前記縫合線A,B,C,Dと折りたたみ線Eで囲まれ且つ開口部Fを有したポケットを形成していることを特徴とする鉢巻である。
【請求項２】
鉢巻の素材が超高分子量ポリエチレン繊維素材で形成されている請求項１記載の鉢巻。
【考案の詳細な説明】
【技術分野】
【０００１】
本考案は、額回りに沿って帯状の布帛で巻く、所謂鉢巻であり、勉強のお供に、眠け覚ましに、殊に、テニス、マラソン、野球、サッカー等のスポーツをする場合及びこれらスポーツの観戦に用いる鉢巻に関するものである。
【背景技術】
【０００２】
鉢巻は織物で織成され、通気性がよく、吸水性に優れ、柔らかく日常、特にスポーツ用並びにスポーツ観戦用に広く用いられている。
【０００３】
鉢巻の例として例えば、特開２００２−２２０７６２号公報、特開平９−８７９０９号公報の例がある。特許文献１は、鉢巻織物の中心部から外側に向かって織密度を変化させて、人体の局部に発生した汗を吸収、分散して可及的に速やかに蒸発させ、発汗時の不快感を防止した鉢巻が示されている。一方、特許文献２は、複数枚の布地の編み込みにより形成されたスポーツ観戦時などの応援に好適な鉢巻が示されている。
【０００４】
しかしながら、従来の鉢巻は、永く使用すると、汗でべっとり感が強くなり、野外での使用、観戦において、照り付ける太陽光線で暑くなり長時間使用時の不快感が伴い、これらの不快感をなくする要求は高まるものの、いまだその達成は見られず、その実現が求められていた。
【先行技術文献】
【特許文献】
【０００５】
【特許文献１】特開２００２−２２０７６２号公報
【特許文献２】特開平９−８７９０９号公報
【考案の概要】
【考案が解決しようとする課題】
【０００６】
本考案は、上記従来技術の流れと要求に鑑み、長時間使用しても、汗でべっとり感が少なく、野外での観戦時に、さわやかさ、涼しさを保持し、勉強時のお供に眠気覚まし効果が抜群で、頭が冷えてスッキリさせ、且つ不快感のない鉢巻を提供することを課題とする。
【課題を解決するための手段】
【０００７】
上記課題を解決する手段、すなわち本考案の構成は、長尺織物の幅方向の中心で折りたたんだ鉢巻であり、該鉢巻は長手方向の中心から左右に向かってそれぞれ約５〜1５ｃｍ離れた位置に幅方向にA,Bで示す縫合線で縫合されており、前記A,Bの縫合線上端から鉢巻の長手方向の中心部に向かって、約１〜５ｃｍの範囲にC,Dで示す縫合線を縫合し、前記縫合線A,B,C,Dと折りたたみ線Eで囲まれ且つ開口部Fを有したポケットを形成していることを特徴とする鉢巻である。
【０００８】
本考案の鉢巻は、素材が超高分子量ポリエチレン繊維素材を用いることが特に好ましい。
【考案の効果】
【０００９】
本考案の鉢巻は、長時間使用しても、汗でべっとり感が少なく、勉強のお供に、眠け覚ましに好適である。殊に、テニス、マラソン、野球、サッカー等のスポーツをする場合及びこれらスポーツ観戦時に、さわやかさ、涼しさを長時間にわたって保持し、不快感のない鉢巻を提供することができる。
【図面の簡単な説明】
【００１０】
【図１】本考案の鉢巻の実施形態を示す概略図である。
【実施例】
【００１１】
以下実施例に基づいて、態様例を説明する。
【００１２】
本考案の鉢巻を構成する織物は、例えばタオル織機を用いて織製されるタオル織物、ガーゼ織物でもよく、織物柄を備えたドビー織物、ジャカード織物でもよい。
【００１３】
本考案の織物に用いる素材としては、綿、ウール、カシミヤ、絹、レーヨン、麻、ナイロン、ポリエステル、アセテート、ポリエチレンなどの繊維を用いてもよい。
【００１４】
本考案の織物に用いる糸は、少なくとも一部が超高分子量ポリエチレン繊維からなる糸を用いることが好ましい。ここで少なくとも一部とは、約３０％以上を言う。なお超高分子量ポリエチレン繊維を用いることで鉢巻の冷却機能を向上させることができる。
【００１５】
ポリエチレンは、通常２〜３０万の分子量であるが、ここに言う超高分子量ポリエチレンは質量平均分子量１００〜７００万のものをいう。
【００１６】
超高分子量ポリエチレン糸を鉢巻の織物に用いることで、他の汎用素材と比べて熱伝導性が大きくなり接触冷感が拡大され、したがって、野外での使用並びに観戦時に、さわやかさ涼しさを保持し、勉強時のお供に頭が冷えてスッキリさせ、且つ、不快感のない鉢巻を提供することが可能となる。
【００１７】
また、使用時の鉢巻を一旦、水に浸漬して再び使用すると、冷感度が増し、再度長時間の快適な使用が可能となる。
【００１８】
本考案の鉢巻は、主として中央部分に文字や絵柄を付けることが多く、これらの文字や絵柄は、プリントで付けることができるが、製織の段階で、ドビー織機やジャカード織機で折り込み模様として付与することが可能である。
【００１９】
本考案の鉢巻は、鉢巻の大きさは、特に限定するものではないが、通常は、長さ８０〜１０５ｃｍ、幅３〜１０ｃｍ、好ましくは長さ８５〜９５ｃｍ、幅５〜８ｃｍが好ましい。
【００２０】
本考案の鉢巻は、長さ方向の中央にポケットを形成しており、好ましくは長手方向の中心から左右に向かってそれぞれ約５〜１５ｃｍ離れた位置に幅方向にA,Bで示す縫合線で縫合されており、前記A,Bの縫合線上端から鉢巻の長手方向の中心部に向かって、約１〜５ｃｍの範囲にC,Dで示す縫合線を縫合し、前記縫合線A,B,C,Dと折りたたみ線Eで囲まれ且つ開口部Fを有したポケットを形成しているところに特徴がある。
【００２１】
本考案のポケットは、例えば冷却材、氷、冷却媒体等を挿入することが可能である。
【００２２】
本考案のポケットは、炎天下の使用時において、氷や保冷剤等をいれて使用することで、より一層の眠け覚まし感が増加し、冷感度が増加持続し爽快感が保たれる。
【００２３】
本考案の実施の態様として例えば、鉢巻の中央部付近に絵柄が配置されるようジャカード織機でおりものを形成する。中央部にジャカードで模様が織られた、長さ１００ｃｍ、幅１０ｃｍの長尺織物の幅方向の中心で幅方向に折り込む。次に長手方向の中心から左右に向かってそれぞれ約８ｃｍの位置に幅方向縫合線A及びB辺を縫合する。前記A,Bの縫合した縫合線A,Bから長尺織物の長手方向の中心に向かって、長尺織物の上部約４ｃｍの範囲に縫合線C,Dを縫合する。このように縫合線A,B,C,D及び折りたたみ線Eで囲まれ且つ開口部Fを有したポケット部を形成する。
【００２４】
本考案の鉢巻は、贈答用品に最適であり、例えば、郵送用箱体にメッセージを書き加えて郵送することができる。例えば、大願成就、合格祈願、必勝祈願用贈答品としてメッセージを添えて発送することができる。更に本考案の鉢巻は他の用途として、マフラーとして使用することも可能である。
【符号の説明】
【００２５】
A：縫合線
B：縫合線
C：縫合線
D：縫合線
E：折りたたみ線
F：開口部
【図１】
0003223005.tif 000003
【手続補正書】
【提出日】令和1年7月19日(2019.7.19)
【手続補正１】
【補正対象書類名】実用新案登録請求の範囲
【補正対象項目名】全文
【補正方法】変更
【補正の内容】
【実用新案登録請求の範囲】
【請求項１】
長尺織物の幅方向の中心で折りたたんで形成される折りたたみ線を有している鉢巻であり、該鉢巻は長手方向の中心から左右に向かってそれぞれ５〜1５ｃｍ離れた位置の幅方向縫合線で縫合されており、前記それぞれの幅方向縫合線上端から鉢巻の長手方向の中心部に向かって、１〜５ｃｍの範囲が長手方向縫合線で縫合されており、前記幅方向縫合線と前記長手方向縫合線と前記折りたたみ線で囲まれ且つ前記２つの長手方向縫合線の間に存在している開口部を有したポケットを形成していることを特徴とする鉢巻。
【請求項２】
鉢巻の素材が超高分子量ポリエチレン繊維素材で形成されている請求項１記載の鉢巻。